(57)【要約】  【課題】  コネクタ取外し用の突片を設けたコネクタ同士を近接する位置に配置してもロック解除作業を容易にできるようにし、電気接続箱を小型化する。  【解決手段】  ケースの外面に複数のコネクタ嵌合部１４を隣接させて並設し、これらコネクタ嵌合部１４およびコネクタ嵌合部１４に嵌合するコネクタ６０はそれぞれ長辺と短辺とからなる矩形状であって、前記コネクタ嵌合部１４に夫々嵌合するコネクタ６０の長辺方向の側面の一方側中央にコネクタ嵌合部１４とのロック部６３を設ける一方、他方側中央にコネクタ取外用突片６４を突設し、該コネクタ取外用突片６４の中央に凹部６４ａを設け、コネクタ嵌合部１４に嵌合されて並列された一方のコネクタ６０Ｂのコネクタ取外用突片６４の中央の凹部６４ａと、隣接する他方のコネクタ６０Ａのロック部６３が対向する位置に配置されている。  【選択図】  図３
2005287229.tif 000002
【特許請求の範囲】
【請求項１】
ケースの外面に複数のコネクタ嵌合部を隣接させて並設し、これらコネクタ嵌合部およびコネクタ嵌合部に嵌合するコネクタはそれぞれ長辺と短辺とからなる矩形状であって、
前記コネクタ嵌合部にそれぞれ嵌合するコネクタの長辺方向の側面の一方側中央に前記コネクタ嵌合部とのロック部を設ける一方、他方側中央にコネクタ取外用突片を突設し、該コネクタ取外用突片の中央に凹部を設け、前記コネクタ嵌合部に嵌合されて短辺方向に並列された一方のコネクタのコネクタ取外用突片の中央の凹部と、隣接する他方のコネクタのロック部が対向する位置にあることを特徴とする電気接続箱。
【請求項２】
前記コネクタ嵌合部は多極コネクタ嵌合部であると共に、該多極コネクタ嵌合部に嵌合される前記コネクタは多極コネクタであって、
前記多極コネクタの端子孔に突出させる複数のタブを１つのバスバーより突出させて、前記多極コネクタ嵌合部に嵌合する多極コネクタにスプライス回路を形成している請求項１に記載の電気接続箱。
【請求項３】
前記多極コネクタ嵌合部を設けた部分のケース内部には複数のタブを多極コネクタ嵌合部の短辺方向に間隔をあけて突設した縦バスバーを多極コネクタ嵌合部の長辺方向に並設させて収容し、前記多極コネクタ嵌合部に嵌合する多極コネクタには、１つのコネクタ内あるいは／および短辺方向に隣接するコネクタ間にスプライス回路を形成している請求項２に記載の電気接続箱。
【請求項４】
前記多極コネクタ嵌合部の端子孔から突出する前記縦バスバーのタブは、その幅方向が前記多極コネクタ嵌合部の長辺方向と直交方向の向きとし、これら多極コネクタ嵌合部と嵌合される前記多極コネクタ内の端子の向きも前記端子の向きと一致させている請求項３に記載の電気接続箱。
【請求項５】
前記コネクタ嵌合部は前記ケースの外縁に沿って設け、各コネクタ嵌合部の被ロック部は前記ケースの外縁と対向する内部側に設けている請求項１乃至請求項４のいずれか１項に記載の電気接続箱。
【発明の詳細な説明】
【技術分野】
【０００１】
本発明は、電気接続箱に関し、詳しくは、ケースに設けたコネクタ嵌合部とコネクタとのロック位置を改良して、多数のコネクタを近接させて並設できるようにすると共に、各コネクタをコネクタ嵌合部から必要時に容易に取り外せるようにするものである。
【背景技術】
【０００２】
従来、電気接続箱の内部回路と外部回路との接続はコネクタ接続により行なっており、特開平１０−３３６８４９号等で本出願人が提供している電気接続箱のように、ケース外面にコネクタ嵌合部を設け、該コネクタ嵌合部に外部回路の電線端末に接続されたコネクタを嵌合して、コネクタ嵌合部内に突出させた内部回路のタブとコネクタ内の相手方端子とを接続して内部回路と外部回路とを接続している。
【０００３】
前記したコネクタ１には、コネクタ嵌合部に嵌合した後で取り外す必要が生じた場合に備えて、図８に示すように、コネクタ取外用の突片２を設けられている。即ち、コネクタの取り外し時は、まず、コネクタ嵌合部とコネクタとのロック解除した後、作業員がこの突片２に指をかけることによりコネクタ１をコネクタ嵌合部から容易に取り外すことができるようにしている。
【０００４】
しかしながら、電気接続箱１のケース外面にこのようなコネクタ１を複数配置して、隣接する一方のコネクタ１Ｂのコネクタ取外用突片２と他方のコネクタ１Ａのロック部３が対向する位置に配置された場合、他方のコネクタ１Ａを治具によりロック解除しようとすると、この治具に一方のコネクタ１Ｂの取外用突片２が干渉してロック解除作業が行いにくくなる不具合が発生する。
よって、両コネクタ１Ａと１Ｂ間にスペースを設けなければならなくなり、コネクタを密集配置できず、電気接続箱が大型化する問題がある。
【特許文献１】特開平１０−３３６８４９号公報
【発明の開示】
【発明が解決しようとする課題】
【０００５】
本発明は前記問題に鑑みてなされたものであり、コネクタ取外し用の突片を設けたコネクタ同士を近接する位置に配置してもロック解除作業を容易にできるようにし、電気接続箱を小型化することを課題としている。
【課題を解決するための手段】
【０００６】
前記課題を解決するため、本発明は、ケースの外面に複数のコネクタ嵌合部を隣接させて並設し、これらコネクタ嵌合部およびコネクタ嵌合部に嵌合するコネクタはそれぞれ長辺と短辺とからなる矩形状であって、
前記コネクタ嵌合部にそれぞれ嵌合するコネクタの長辺方向の側面の一方側中央に前記コネクタ嵌合部とのロック部を設ける一方、他方側中央にコネクタ取外用突片を突設し、該コネクタ取外用突片の中央に凹部を設け、前記コネクタ嵌合部に嵌合されて短辺方向に並列された一方のコネクタのコネクタ取外用突片の中央の凹部と、隣接する他方のコネクタのロック部が対向する位置にあることを特徴とする電気接続箱を提供している。
【０００７】
前記構成によれば、隣接して配置する前記他方のコネクタのロック部を前記一方のコネクタのコネクタ取外用突片の中央の凹部に対向させているため、前記他方のコネクタを電気接続箱のコネクタ嵌合部から取り外す際には、一方のコネクタのコネクタ取外用突片の中央の凹部に治具を通して前記他方のコネクタとコネクタ嵌合部のロックを解除することができる。よって、隣接配置するコネクタ間にロック解除用の治具を通すためのスペースを設ける必要がなく、コネクタを近接配置することができ、電気接続箱を小型化することができる。
【０００８】
前記コネクタ嵌合部は多極コネクタ嵌合部であると共に、該多極コネクタ嵌合部に嵌合される前記コネクタは多極コネクタであって、
前記多極コネクタの端子孔に突出させる複数のタブを１つのバスバーより突出させて、前記多極コネクタ嵌合部に嵌合する多極コネクタにスプライス回路を形成している。
【０００９】
例えば、前記バスバーを縦バスバーとし、前記多極コネクタ嵌合部を設けた部分のケース内部には複数のタブを多極コネクタ嵌合部の短辺方向に間隔をあけて突設した縦バスバーを多極コネクタ嵌合部の長辺方向に並設させて収容し、前記多極コネクタ嵌合部に嵌合する多極コネクタには、１つのコネクタ内あるいは／および短辺方向に隣接するコネクタ間にスプライス回路を形成していることが好ましい。
【００１０】
前記構成によれば、縦バスバーを多極コネクタ嵌合部の長辺方向に並設し、その長さ方向を多極コネクタ嵌合部の短辺方向とすることにより、短辺方向に隣接する多極コネクタ嵌合部に１つの縦バスバーからタブを突出させることができ、短辺方向に隣接するコネクタ間に容易にスプライス回路を形成できる。また、隣接する多極コネクタに限らず、同一の多極コネクタ嵌合部内に１つの縦バスバーからタブを突出させると、１つの多極コネクタ内にスプライス回路を形成することができる。
また、縦バスバーの長さ方向は多極コネクタの短辺方向となっているため、短辺方向に隣接させて配置するコネクタ間を小さくすることにより、縦バスバーの長さを短くすることができる。
【００１１】
前記多極コネクタ嵌合部の端子孔から突出する前記縦バスバーのタブは、その幅方向が前記多極コネクタ嵌合部の長辺方向と直交方向の向きとし、これら多極コネクタ嵌合部と嵌合される前記多極コネクタ内の端子の向きも前記端子の向きと一致させていることが好ましい。
【００１２】
前記構成によれば、ケース内部に縦バスバーを多極コネクタ嵌合部の長辺方向に並設させて収容しておくと、縦バスバーの長さ方向とタブの幅方向が共に多極コネクタ嵌合部の短辺方向となって一致するため、縦バスバーに突設したタブを折り曲げなくてもよく、縦バスバーを容易に形成することができる。
【００１３】
前記コネクタ嵌合部は前記ケースの外縁に沿って設け、各コネクタ嵌合部の被ロック部は前記ケースの外縁と対向する内部側に設けていることが好ましい。
前記構成によれば、コネクタ嵌合部の被ロック部をケース外縁に沿って設けていないため、被ロック部に外部干渉材が干渉してロックが解除されるのを防止することができる。
また、コネクタ嵌合部に嵌合するコネクタのコネクタ取外用突片がケース外縁に沿って配置され、該コネクタ取外用突片の近傍には何も配置されていないため、コネクタをコネクタ嵌合部から取り外す際には、該コネクタ取外用突片に指を掛けて簡単にコネクタをコネクタ嵌合部から取り外すことができる。
【発明の効果】
【００１４】
前述したように、本発明によれば、隣接して配置する一方のコネクタのコネクタ取外用突片の中央の凹部を他方のコネクタのロック部と対向させて位置させているため、前記他方のコネクタを電気接続箱のコネクタ嵌合部から取り外す際には、前記一方のコネクタのコネクタ取外用突片の中央の凹部に治具を通して前記他方のコネクタとコネクタ嵌合部のロックを解除することができる。よって、隣接配置するコネクタ間にロック解除用の治具を通すためのスペースを設ける必要がなく、コネクタを近接配置することができ、電気接続箱を小型化することができる。
【発明を実施するための最良の形態】
【００１５】
本発明の実施形態を図面を参照して説明する。
図１乃至図７は、本発明の実施形態を示し、電気接続箱１０は、アッパーケース１１とロアケース１２からなるケース内部には、縦バスバー２０と、平バスバー３０と絶縁板３１を交互に積層配置した積層体３２と、プリント基板４０とを内部回路として収容している。
【００１６】
図２に示すように、電気接続箱１０の一半側領域を縦バスバー配置領域Ｓ１（図２中、一点鎖線で囲んだ領域）として複数の縦バスバー２０を並列配置する一方、他半側領域を平バスバー配置領域Ｓ２（図２中、二点鎖線で囲んだ領域）として平バスバー３０と絶縁板３１からなる積層体３２を配置している。
【００１７】
アッパーケース１１の外面の縦バスバー配置領域Ｓ１には、前後方向Ｘに延在する隔壁２８と左右方向Ｙに延在する隔壁２９を設けて、前後左右方向に多極コネクタ嵌合部１４を隣接させて碁盤目状に並設し、前方の多極コネクタ嵌合部１４Ａはアッパーケース１１の外縁に沿って設けている。また、多極コネクタ嵌合部１４は、左右方向Ｙが長辺で前後方向Ｘが短辺の矩形状とし、ケース外縁に対向する後側の内部の左右方向Ｙの中央に多極コネクタ６０のロック部６３とロック結合される被ロック部１４ｄを設けている。
【００１８】
多極コネクタ嵌合部１４に嵌合する多極コネクタ６０も左右方向Ｙが長辺で前後方向Ｘが短辺の矩形状で、図３に示すように、後面６０ｂの中央に下端がコネクタハウジングに連結されＪ字状に折り返して設けた可撓性を有するロック部６３を設けている。ロック部６３の幅方向中央の所要位置に前記多極コネクタ嵌合部１４の被ロック部１４ｄを係止する係止孔６３ａを穿設している。
また、多極コネクタ６０の前面６０ａの中央上端に左右両側６４ｂを突出させると共に中央に凹部６４ａを設けたコネクタ取外用突片６４を突設している。
【００１９】
また、多極コネクタ嵌合部１４内に突出するタブ２２に対応させて相手方の雌端子（図示せず）を収容する端子収容室６１を千鳥配置で複数設けると共に、端子収容室６１内の相手方端子は、前記アッパーケース１１の多極コネクタ嵌合部１４内に突出させるタブ２２の向きに対応させて設定している。なお、タブ２２については後述する。
【００２０】
前記多極コネクタ６０を多極コネクタ嵌合部１４に嵌合させると、図４に示すように、前後方向Ｘに隣接させた多極コネクタ６０は、後側に嵌合される多極コネクタ６０Ｂのコネクタ取外用突片６４の中央の凹部６４ａと前側に嵌合される多極コネクタ６０Ａのロック部６３が対向する位置に配置される。
【００２１】
前側に嵌合される多極コネクタ６０Ａを多極コネクタ嵌合部１４から取り外す際には、図５（Ａ）に示すように、棒状の治具７０を後側の多極コネクタ６０Ｂのコネクタ取外用突片６４の凹部６４ａに通して多極コネクタ嵌合部１４Ａ内に挿入し、その後、図５（Ｂ）に示すように、治具７０の先端を前側の多極コネクタ６０Ａ側に押し込むとロック部６３が撓んでロックが解除され、多極コネクタ６０Ａを多極コネクタ嵌合部１４Ａから取り外すことができる。
【００２２】
前記多極コネクタ６０が嵌合する多極コネクタ嵌合部１４の端子孔に突出させる電気接続箱の内部回路について、以下に説明する。
多極コネクタ嵌合部１４の底壁１４ａには複数の端子孔１４ｂを穿設しており、該端子孔１４ｂの長辺方向を多極コネクタ嵌合部１４の長辺方向と直交方向としている。また、端子孔１４ｂは多極コネクタ嵌合部１４の長辺方向に沿って千鳥配置とし、端子孔１４ｂには、ケース内部に収容された縦バスバー２０のタブ２２が貫通されている。
【００２３】
ロアケース１２の縦バスバー配置領域Ｓ１には、図６及び図７に示すように、縦バスバー配置領域Ｓ１と平バスバー配置領域Ｓ２との境界から縦バスバー配置領域Ｓ１の他側先端側にかけて延在する縦バスバー収容室１３を左右方向Ｙに間隔をあけて複数並設し、該縦バスバー収容室１３に縦バスバー２０の基部２３を圧入固定している。
【００２４】
前記各縦バスバー２０には、電気接続箱内に垂直方向（縦方向）に配置される基部２３の上下いずれかの片面あるいは両面の所要箇所から間隔をあけて複数のタブ２２、２４を突設しており、タブ２２、２４は、基部２３に対して屈曲させずに、タブ２２の幅方向を縦バスバー２０の長さ方向と同一方向としている。
【００２５】
縦バスバー２０の基部２３から上方に突設するタブ２２はアッパーケース１１の多極コネクタ嵌合部１４内に突出する一方、基部２３から下方に突設するタブ２４はロアケース１２のコネクタ収容部１５内に突出している。
詳細には、前後方向に隣接させて設けた多極コネクタ嵌合部１４Ａ、１４Ｂ、コネクタ収容部１５Ａ〜１５Ｃには、１つの縦バスバー２０に突設したタブ２２、２４を内部に突出させている。また、同一の多極コネクタ嵌合部１４内に１つの縦バスバー２０に突設したタブ２２を複数突出させている。
【００２６】
縦バスバー配置領域Ｓ１において、前後方向に隣接して並設する多極コネクタ嵌合部１４Ａと１４Ｂ、コネクタ収容部１５Ａと１５Ｂと１５Ｃには、前記にように１つの縦バスバー２０から間隔をあけて突設した複数個のタブ２２、２４が突出されるため、多極コネクタ嵌合部１４Ａと１４Ｂ、コネクタ収容部１５Ａと１５Ｂと１５Ｃにそれぞれ嵌合する多極コネクタ６０は縦バスバー２０を介してスプライス接続されることとなる。
また、同一の多極コネクタ嵌合部１４内に１つの縦バスバー２０に突設したタブを複数突出させているため、多極コネクタ嵌合部１４内に嵌合する１つのコネクタ６０内でも縦バスバー２０によりスプライス回路が形成される。
【００２７】
一方、平バスバー配置領域Ｓ２に配置する平バスバー３０の一端は、縦バスバー配置領域Ｓ１との境界位置に配置し、縦バスバー２０のバスバー接続用タブ２１に対向する位置に平バスバー３０の先端から下方に屈折させた音叉端子３３を設けている。該音叉端子３３は縦バスバー２０のバスバー接続用タブ２１に対して直交とし、積層体３２をロアケース１２に収容すると、所要のバスバー接続用タブ２１が音叉端子３３のスリット内に挿入されて圧接される構成としている。
前記音叉端子３３は千鳥配置として、縦バスバー２０を狭ピッチで配置できるようにしている。
【００２８】
前記平バスバー３０の音叉端子３３は、縦バスバー２０のバスバー接続用タブ２１と圧接させる前に、予め別体の保護樹脂ブロック５０で覆って保護している。保護樹脂ブロック５０の端子収容室に音叉端子３３が圧入される一方、該端子収容室の下端から縦バスバー２０のバスバー接続用タブ２１が挿入されて、該バスバー接続用タブに音叉端子３３が圧接される。
【００２９】
一方、平バスバー３０は所要箇所を上方または下方に屈折させて端子部３４を設け、アッパーケース１１に設けたリレー収容部１６、ヒューズ収容部１７、又は、ロアケース１２に設けたコネクタ収容部２７、ヒューズ収容部１８内のいずれかに突出させている。
【００３０】
また、図６に示すように、アッパーケース１１の所要箇所に上壁を突出させてプリント基板収容部１９を設け、該プリント基板収容部１９内に積層体３２との間に絶縁板４１を介在させてプリント基板４０を収容している。該プリント基板４０に対向する箇所の平バスバー３０からは、上方に向けて長尺な導体接続用タブ３５を突出させ、該導体接続用タブ３５を絶縁板４１から上方に突設した接続用タブ収容部４２を通して、上方に配置したプリント基板４０の導体に半田付けして接続している。なお、プリント基板４０は、平バスバー３０から固定用タブ収容部４３を通して突出させた基板固定用タブ３６に半田付けされて所要高さで支持されている。
【００３１】
前記構成とすると、前後方向Ｘに隣接して配置する前側の多極コネクタ６０Ａのロック部を後側の多極コネクタ６０Ｂのコネクタ取外用突片６４の中央の凹部６４ａに位置させているため、前側の多極コネクタ６０Ａを電気接続箱１０のコネクタ嵌合部１４から取り外す際には、後側の多極コネクタ６０Ｂのコネクタ取外用突片６４の中央の凹部６４ａに治具７０を通して前側の多極コネクタ６０Ａとコネクタ嵌合部１４のロックを解除することができる。よって、前後方向Ｘに隣接配置する多極コネクタ６０Ａ、６０Ｂ間にロック解除用の治具を通すためのスペースを設ける必要がなく、コネクタを近接配置することができ、電気接続箱を小型化することができる。
なお、本実施形態では、縦バスバーに突設したタブを多極コネクタの相手方端子と接続しているが、タブは平バスバーの先端を屈折させて設けたタブや単芯線に圧接したタブでもよい。
【図面の簡単な説明】
【００３２】
【図１】本発明の実施形態の電気接続箱の分解斜視図である。
【図２】前記電気接続箱を示し、（Ａ）は平面図、（Ｂ）は底面図である。
【図３】多極コネクタを示し（Ａ）は平面図、（Ｂ）は右側面図である。
【図４】電気接続箱の多極コネクタ嵌合部に多極コネクタを嵌合した状態を示す図面である。
【図５】（Ａ）（Ｂ）は、多極コネクタ嵌合部から多極コネクタを取り外す工程を示す図面である。
【図６】電気接続箱の前後方向の断面図である。
【図７】電気接続箱の左右方向の断面図である。
【図８】従来の問題点を示す図面である。
【符号の説明】
【００３３】
１０  電気接続箱
１１  アッパーケース
１２  ロアケース
１４  多極コネクタ嵌合部
２０  縦バスバー
２２、２４  タブ
３０  平バスバー
４０  プリント基板
６０  多極コネクタ
６３  ロック部
６４  コネクタ取外用突片
６４ａ  凹部
７０  コネクタ取外用治具
Ｓ１  縦バスバー配置領域
Ｓ２  平バスバー配置領域
【図１】
2005287229.tif 000003
【図２】
2005287229.tif 000004
【図３】
2005287229.tif 000005
【図４】
2005287229.tif 000006
【図５】
2005287229.tif 000007
【図６】
2005287229.tif 000008
【図７】
2005287229.tif 000009
【図８】
2005287229.tif 000010